(57)【特許請求の範囲】
【請求項１】
光ディスクに記録された情報に基づいて信号を出力する光ピックアップと、光ピックアップから出力された信号に基づいてＲＦ信号とフォーカスエラー信号を出力する信号形成手段と、信号形成手段から出力されたＲＦ信号とフォーカスエラー信号を制御電圧に基づいて増幅する増幅手段と、増幅手段における制御電圧を制御する制御手段と、制御手段で制御された制御電圧の値とその制御電圧に基づいて増幅手段で増幅されたフォーカスエラー信号の値を検出する検出手段と、当該検出手段により検出されたフォーカスエラー信号の値および制御電圧の値を記憶する記憶手段と、を備え、
前記制御手段は、前記検出手段により検出フォーカスエラー信号の値が所定の範囲にない場合、当該フォーカスエラー信号の値および制御電圧の値を前記記憶手段に記憶するとともに制御電圧を変更し、当該変更した制御電圧に基くフォーカスエラー信号の値を検出し、当該フォーカスエラー信号の値と前記記憶手段に記憶されたフォーカスエラー信号の値の一方は所定の範囲より小さく他方が所定の範囲より大きい時には、制御電圧の値を前記変更した制御電圧の値と記憶手段に記憶された制御電圧の値の中間値に変更することを特徴とする光ディスク再生装置。
【請求項２】
光ディスクに記録された情報に基づいて信号を出力する光ピックアップと、光ピックアップから出力された信号に基づいてＲＦ信号とフォーカスエラー信号を出力する信号形成手段と、信号形成手段から出力されたＲＦ信号とフォーカスエラー信号を制御電圧に基づいて増幅する増幅手段と、増幅手段における制御電圧を制御する制御手段と、制御手段で制御された制御電圧の値とその制御電圧に基づいて増幅手段で増幅されたフォーカスエラー信号の値を検出する検出手段と、当該検出手段により検出されたフォーカスエラー信号の値および制御電圧の値を記憶する記憶手段と、を備え、
前記制御手段は、前記検出手段により検出した第１のフォーカスエラー信号の値が所定の範囲にない場合、第１のフォーカスエラー信号の値および第１のフォーカスエラー信号に対応する第１の制御電圧値を前記記憶手段に記憶するとともに制御電圧を変更し、当該変更した第２の制御電圧値に対応する第２のフォーカスエラー信号の値を検出し、第２のフォーカスエラー信号の値と前記記憶手段に記憶された第１のフォーカスエラー信号の値の一方が所定の範囲より小さく他方が所定の範囲より大きい時には、制御電圧の値を、第１のフォーカスエラー信号の値と第１の制御電圧の値の組と、第２のフォーカスエラー信号の値と第２の制御電圧の値の組を、前記所定の範囲内の所定のフォーカスエラー信号の値に対応して線形補間された値に変更することを特徴とする光ディスク再生装置。
【発明の詳細な説明】
【０００１】
【発明の属する技術分野】
本発明は、光ピックアップを備えて光ディスクに記録された情報を再生出力する光ディスク再生装置に関し、特に光ピックアップで検出した戻り光量に基づく信号のゲイン制御に関するものである。
【０００２】
【従来の技術】
ＣＤ（Ｃｏｍｐａｃｔ  Ｄｉｓｋ）やＤＶＤ（Ｄｉｇｉｔａｌ  Ｖｅｒｓａｔｉｌｅ  Ｄｉｓｋ）等の光ディスクを再生する装置では、光ディスクにレーザ光を照射し、その戻り光（反射光）を検出して情報の再生を行っている。戻り光量に基づく信号強度（大きさ）はディスクの反射率に大きく依存するが、ＣＤとＤＶＤとでは、またＤＶＤにおいても記録層が単層のものと二層のものとでは、反射率は異なっている。例えば、ＣＤは７０％以上、単層のＤＶＤは４５〜８５％、二層のＤＶＤでは１８〜３０％となっている。
【０００３】
そして、ＣＤとＤＶＤの両方が再生可能な装置では、ディスクの反射率にかかわらず、光ピックアップからの信号を所定の範囲内の強度で得て情報再生の信号処理を行うようにしている。光ピックアップからの信号を所定の範囲内の強度とするためには、ディスクを再生する度に、光ピックアップからの信号を増幅する増幅器のゲインの調整を行う必要がある。
【０００４】
このゲインの調整は、光ピックアップからの信号より得られるフォーカスエラー信号及びＲＦ信号に対して行われ、ゲインの制御はＲＦ信号やフォーカスエラー信号を増幅する電圧制御型増幅器（以下ＶＣＡと称す）に与える電圧値（制御電圧）を制御することでなされる。そして、フォーカスサーチ時に得られるフォーカスエラー信号が所定範囲内の強度となるようにゲインが決定される。
【０００５】
従来、ゲインの調整（決定）は、ＶＣＡの制御電圧Ｖとして初期値Ｖ０を与え、制御電圧がＶ０の時に得られるＶＣＡからのフォーカスエラー信号の強度が所定の範囲に入っているか演算し、所定の範囲に入っていれば制御電圧をＶ０に決定し、所定の範囲より上回っている時（以下この状態をｏｖｅｒと称す）はその時の制御電圧に（最初は初期値のＶ０）にΔｖを加算して新たな制御電圧とし、所定の範囲より下回っている時（以下この状態をｕｎｄｅｒと称す）はその時の制御電圧（最初は初期値のＶ０）からΔｖを減算して新たな制御電圧として、ＶＣＡからのフォーカスエラー信号の強度が所定の範囲に収まる制御電圧の変更が繰り返される。以上のゲイン調整のフローチャートを図４に示す。
【０００６】
また、このようなゲイン調整は、用いる光ピックアップの種類によって、例えば、対物レンズを夫々の再生モードに応じて切り換えるもの、ホログラムレンズにより再生ディスクに合わせて焦点を結ぶもの、あるいは夫々の再生モードに応じて２つの光ピックアップを切り換えて使用するもの等によって特性や光学系が異なるので、得られる信号の強度が所定の範囲に収まるようにするために必要とされる。
【０００７】
【発明が解決しようとする課題】
しかしながら、上述の方法では、制御電圧Ｖとして初期値Ｖ０を出発点にして一定の値Δｖの増減をしながら得られるフォーカスエラー信号の強度の演算を行うため、初期値Ｖ０や増減値Δｖの設定が適当でない場合、フォーカスエラー信号の強度が所定の範囲内に収束するまでに、繰り返し演算回数及び調整（決定）時間が大きくなってしまう虞があった。すると、ディスクの装着から再生開始までに長い時間を要することになってしまう。
【０００８】
本発明は、斯様な点に鑑みてされたもので、ＶＣＡからのフォーカスエラー信号の強度が所定の範囲に収まる制御電圧を容易に決定でき、ディスクの装着から再生開始までに長い時間を要することがなく、再生開始までの時間の短縮が可能な光ディスク再生装置を提供することを目的とするものである。
【０００９】
【課題を解決するための手段】
請求項１に係る本発明の光ディスク再生装置は、光ディスクに記録された情報に基づいて信号を出力する光ピックアップと、光ピックアップから出力された信号に基づいてＲＦ信号とフォーカスエラー信号を出力する信号形成手段と、信号形成手段から出力されたＲＦ信号とフォーカスエラー信号を制御電圧に基づいて増幅する増幅手段と、増幅手段における制御電圧を制御する制御手段と、制御手段で制御された制御電圧の値とその制御電圧に基づいて増幅手段で増幅されたフォーカスエラー信号の強度の値を２つづつ記憶する記憶手段とを備え、制御手段は、増幅手段で増幅されたフォーカスエラー信号の強度の値が所定の範囲にない場合制御電圧を変更し、変更した制御電圧に基づいて増幅手段で増幅されたフォーカスエラー信号の強度の強度が所定の範囲内にない時には、記憶手段に記憶された２つの制御電圧の値もしくはフォーカスエラー信号の強度の値に基づいて制御電圧の値を変更することを特徴とする。
【００１０】
請求項２に係る本発明の光ディスク再生装置は、請求項１に記載の発明において、制御手段は、記憶手段に記憶されたフォーカスエラー信号の強度の値が一方は所定の範囲より小さく他方が所定の範囲より大きい時には、制御電圧の値を記憶手段に記憶された２つの制御電圧の値の中間値に変更することを特徴とする。
【００１１】
請求項３に係る本発明の光ディスク再生装置は、請求項１に記載の発明において、制御手段は、記憶手段に記憶されたフォーカスエラー信号の強度の値が一方は所定の範囲より小さく他方が所定の範囲より大きい時には、記憶手段に記憶された２つのフォーカスエラー信号の強度の値と制御電圧の値から線形補間して得られる値に制御電圧の値を変更することを特徴とする。
【００１２】
請求項４に係る本発明の光ディスク再生装置は、光ディスクに記録された情報に基づいて信号を出力する光ピックアップと、光ピックアップから出力された信号に基づいてＲＦ信号とフォーカスエラー信号を出力する信号形成手段と、信号形成手段から出力されたＲＦ信号とフォーカスエラー信号を制御電圧に基づいて増幅する増幅手段と、増幅手段における制御電圧を制御する制御手段と、制御手段で制御された制御電圧の値とその制御電圧に基づいて増幅手段で増幅されたフォーカスエラー信号の強度の値を３つづつ以上記憶する記憶手段とを備え、制御手段は、増幅手段で増幅されたフォーカスエラー信号の強度の値が所定の範囲にない場合制御電圧を変更し、変更した制御電圧に基づいて増幅手段で増幅されたフォーカスエラー信号の強度の強度が所定の範囲内にない時には、記憶手段に記憶された３つ以上の制御電圧の値及びフォーカスエラー信号の強度の値に基づいて予測される値に制御電圧の値を変更することを特徴とする。
【００１３】
【発明の実施の形態】
図１は本発明の一実施例に係る光ディスク再生装置の概略構成図である。
【００１４】
１は情報が記録された光ディスク、２は光ディスクを回転駆動させるスピンドルモータ、３は光ディスク１に記録された情報に基づいて信号を出力する光ピックアップで、少なくともＣＤとＤＶＤ規格の両方のディスクが再生可能なものである。ＣＤとＤＶＤの両方を再生可能な光ピックアップとしては、２つのレンズを夫々の再生モードに応じて切り換えるもの、ホログラムレンズによりＣＤ及びＤＶＤの夫々に焦点を結ぶもの、夫々の再生モードに応じて液晶シャッタでレーザ光を遮断して開口数を変化させるもの、あるいは夫々の再生モードに応じて２つの光ピックアップを切り換えて使用するもの等、種々のものが提案されている。
【００１５】
４は光ピックアップ３から出力された信号に基づいてＲＦ信号とフォーカスエラー信号、更にはトラッキングエラー信号を出力する信号形成手段としての信号処理回路、５は信号処理回路４から出力されたＲＦ信号とフォーカスエラー信号を後述するサーボＤＳＰから供給される制御電圧に基づいて増幅する増幅手段としてのＶＣＡ型の増幅回路で、これら信号処理回路４と増幅回路５は通常１つのＩＣにて形成される。
【００１６】
６は増幅回路５あるいは信号処理回路４からのＲＦ信号とフォーカスエラー信号とトラッキングエラー信号を受けて、フォーカスサーボ、トラッキングサーボ、スレッジサーボ等のサーボ制御及びスピンドルモータの回転制御を行うサーボＤＳＰ、７はサーボＤＳＰからの制御に基づいて光ピックアップ３及びスピンドルモータ２を駆動するドライブ回路である。
【００１７】
８は装置全体の制御を司り、サーボＤＳＰ６を介して増幅回路５における制御電圧の制御を行う制御手段としてのコントローラ、９はコントローラ８により記憶制御がされる記憶手段としてのメモリで、少なくとも制御電圧の値とその制御電圧に基づいて増幅回路５で増幅されたフォーカスエラー信号の強度の値を２つづつ記憶可能な容量を備える。
【００１８】
さて、斯様な装置において、光ディスク１が装置に装着されると、コントローラ８はドライブ回路７を制御してスピンドルモータ２を回転させ光ディスク１を回転させる。また、光ピックアップ３を光ディスクの所定の位置に移動させて、フォーカスサーチを行う。
【００１９】
フォーカスサーチにおいて、コントローラ８は、増幅回路５でのゲイン調整を行うべく、初期値Ｖ０の電圧を制御電圧として与えるために、サーボＤＳＰ６のレジスタＲにＶ０を転送する。サーボＤＳＰ６はレジスタＲに与えられた値Ｖ０の電圧を制御電圧Ｖとして増幅回路５に印加する。光ピックアップ３からの信号は信号処理回路４へと出力され、信号処理回路４からはＲＦ信号とフォーカスエラー信号とトラッキングエラー信号が出力される。ＲＦ信号とフォーカスエラー信号は増幅回路５に出力され、増幅回路５では制御電圧Ｖ０に基づくゲインで信号が増幅され出力される。
【００２０】
コントローラ８は制御電圧がＶ０の状態で得られた増幅回路５からのフォーカスエラー信号の強度を検出してその強度が所定の範囲内にあるか否かを判断する。コントローラ８は、検出したフォーカスエラー信号の強度の値とその時の制御電圧値（この時はＶ０）をメモリ９に記憶し、検出したフォーカスエラー信号の強度の値が所定の範囲内にある時はその時装着されている光ディスク１に対する増幅回路５のゲインを調整する制御電圧としてＶ０を決定し設定する。検出したフォーカスエラー信号の強度が所定の範囲内にない時、予め設定してある所定の制御電圧の修正量をΔｖとすれば、ｏｖｅｒであれば制御電圧ＶをＶ０＋Δｖに、ｕｎｄｅｒであれば制御電圧ＶをＶ０−Δｖにして再度フォーカスサーチを行い、フォーカスエラー信号を得るように制御する。
【００２１】
そこでコントローラ８は、新しい制御電圧（Ｖ０＋ΔｖもしくはＶ０−Δｖ）を制御電圧Ｖとして与えるために、サーボＤＳＰ６のレジスタＲに新しい制御電圧値（Ｖ０＋ΔｖもしくはＶ０−Δｖ）を転送する。サーボＤＳＰ６はレジスタＲに与えられた新しい制御電圧値の電圧を制御電圧として増幅回路５に印加する。そして光ピックアップ３からの信号は信号処理回路４へと出力され、信号処理回路４からＲＦ信号とフォーカスエラー信号とトラッキングエラー信号が出力され、更にＲＦ信号とフォーカスエラー信号は増幅回路５で新しい制御電圧（Ｖ０＋ΔｖもしくはＶ０−Δｖ）に基づくゲインで信号が増幅され出力される。
【００２２】
増幅回路５で増幅されたフォーカス信号を受けてコントローラ８は、フォーカスエラー信号の強度を検出してその強度が所定の範囲内にあるか否かを判断する。コントローラ８は、検出したフォーカスエラー信号の強度の値とその時の制御電圧値（この時はＶ０＋ΔｖもしくはＶ０−Δｖ）をメモリ９に記憶し、検出したフォーカスエラー信号の強度の値が所定の範囲内にある時はその時装着されている光ディスク１に対する増幅回路５のゲインを調整する制御電圧として現在の制御電圧値（Ｖ０＋ΔｖもしくはＶ０−Δｖ）を決定し設定する。
【００２３】
コントローラ８は、検出したフォーカスエラー信号の強度が所定の範囲内にない時、ｏｖｅｒの状態であって先にメモリ９に記憶した制御電圧Ｖ０におけるフォーカスエラー信号の強度の値もｏｖｅｒであるとき（従って現在の制御電圧はＶ０―Δｖ）は、制御電圧を更に−ΔｖしてＶ０―２Δｖにし、再度フォーカスサーチを行ってフォーカスエラー信号を得るようにして増幅回路５のゲインの調整を行う。また、フォーカスエラー信号の強度がｏｖｅｒの状態であって先にメモリ９に記憶した制御電圧Ｖ０におけるフォーカスエラー信号の強度の値はｕｎｄｅｒであるとき（従って現在の制御電圧はＶ０＋Δｖ）は、制御電圧をＶ０＋Δｖ／２に、即ちメモリ９に記憶された２つの制御電圧の中間値に設定して再度フォーカスサーチを行い、増幅回路５のゲインの調整を行うべくフォーカスエラー信号を得るように制御する。
【００２４】
あるいは、検出したフォーカスエラー信号の強度が所定の範囲内にない時、コントローラ８は、ｕｎｄｅｒの状態であって先にメモリ９に記憶した制御電圧Ｖ０におけるフォーカスエラー信号の強度の値もｕｎｄｅｒであるとき（従って現在の制御電圧はＶ０＋Δｖ）は、制御電圧を更に＋ΔｖしてＶ０＋２Δｖにし、再度フォーカスサーチを行ってフォーカスエラー信号を得るようにして増幅回路５のゲインの調整を行う。また、フォーカスエラー信号の強度がｕｎｄｅｒの状態であって先にメモリ９に記憶した制御電圧Ｖ０におけるフォーカスエラー信号の強度の値はｏｖｅｒであるとき（従って現在の制御電圧はＶ０―Δｖ）は、制御電圧をＶ０−Δｖ／２に、即ちメモリ９に記憶された２つの制御電圧の中間値に設定して再度フォーカスサーチを行い、増幅回路５のゲインの調整を行うべくフォーカスエラー信号を得るように制御する。
【００２５】
そして、コントローラ８は、フォーカスエラー信号の強度が所定の範囲内になるまで制御電圧の変更と変更した制御電圧に基づいて増幅回路５で増幅されたフォーカスエラー信号の強度の検出を繰り返す。而して、所定の範囲内の強度のフォーカスエラー信号が得られたら、その時の制御電圧の値をその時装着されている光ディスクに記録された情報を読み出す際の増幅回路５にけるゲインを決定する制御電圧に設定し、以降その光ディスクからの情報の読み取り・再生を行う。以上のフローチャートを図２に示す。
【００２６】
尚、上述の実施例において制御電圧の値とその制御電圧に基づいて増幅回路５で増幅されたフォーカスエラー信号を記憶するメモリは、コントローラ８と別体に構成されていたが、これに限られるものではなく、例えばコントローラ８が内蔵するメモリあるいはレジスタであってもかまわない。
【００２７】
ところで、上述の実施例では、増幅回路５で増幅されたフォーカスエラー信号の強度が２回連続して所定の範囲に入らないときに、一方の強度の値が所定の範囲より小さく他方の強度の値が所定の範囲より大きければ、制御電圧の値を２つの制御電圧の値の中間値に変更してゲイン調整を行うようにしている。このような構成にすることにより、増幅回路のゲイン調整に要する時間の短縮が図られ、光ディスクからの情報の再生開始までの時間の短縮も可能となるが、制御電圧の値を２つの制御電圧の値の中間値に変更するのではなく、メモリ９に記憶された２つ（組）の制御電圧の値とフォーカスエラー信号の強度の値から、線形補間によりフォーカスエラー信号の強度の値が所定の範囲内にあるような制御電圧を演算して求め、その値を制御電圧として再度フォーカスサーチを行って増幅回路５のゲインの調整を行ってもよい。
【００２８】
図３に線形補間による制御電圧の設定の一例を説明するための図を示す。図３から分かるように、増幅回路５で増幅されたフォーカスエラー信号の強度が２回連続して所定の範囲に入らないときに、一方の強度の値が所定の範囲より小さく他方の強度の値が所定の範囲より大きければ、制御電圧の値をメモリ９に記憶されている２つの制御電圧の値とフォーカスエラー信号の強度の値から線形補間（直線を示す一次方程式）によりフォーカスエラー信号が所定の範囲に入る制御電圧値（例えば所定の範囲の中央の強度の値となる制御電圧値）を得ることができる。線形補間により得られた制御電圧の値で再度フォーカスサーチを行うことにより、増幅回路のゲイン調整に要する時間の一層の短縮を図ることが可能となる。
【００２９】
また、フォーカスエラー信号の強度を３回以上検出した場合は、夫々の制御電圧と共にメモリに記憶しておき、それら３つ以上のフォーカスエラー信号の強度の値と制御電圧の値から非線型補間によりフォーカスエラー信号が所定の範囲に入る制御電圧値（例えば所定の範囲の中央の強度の値となる制御電圧値）を得てもよい。そして、その値の制御電圧で再度フォーカスサーチを行って増幅回路５のゲインの調整を行うようにしても良い。
【００３０】
【発明の効果】
本発明は、以上の説明から明らかなように、増幅回路で増幅されたフォーカスエラー信号の強度が２回連続して所定の範囲に入らないときに、一方の強度の値が所定の範囲より小さく他方の強度の値が所定の範囲より大きければ、制御電圧の値を２つの制御電圧の値の中間値、あるいは線形補間により求めた値に変更してゲイン調整を行うようにしているので、比較的早くフォーカスラー信号の強度が所定の範囲内に収束させることができ、フォーカスエラー信号の強度が所定の範囲に収まる制御電圧を容易に決定することができる。そして、増幅回路のゲイン調整に要する時間が短縮され、光ディスクの装着から情報の再生開始までの時間の短い再生装置を提供することが可能になる。
【００３１】
また、フォーカスエラー信号の強度を３回以上検出した場合には、非線型補間によりフォーカスエラー信号が所定の範囲に入る制御電圧値を得ることで、フォーカスラー信号の強度が所定の範囲内に収束させることが短い時間で容易に可能となる。
【図面の簡単な説明】
【図１】本発明の一実施例に係る光ディスク再生装置の概略構成図である。
【図２】本発明の一実施例に係るゲイン調整のフローチャートである。
【図３】本発明の他の実施例に係るゲイン調整の線形補間を説明する図である。
【図４】従来のゲイン調整のフローチャートである。
【符号の説明】
１      光ディスク
２      スピンドルモータ
３      光ピックアップ
４      信号処理回路（信号形成手段）
５      増幅回路（増幅手段）
６      サーボＤＳＰ
７      ドライブ回路
８      コントローラ（制御手段）
９      メモリ（記憶手段）
【図１】
0003619725.tif 000002
【図２】
0003619725.tif 000003
【図３】
0003619725.tif 000004
【図４】
0003619725.tif 000005